(57)【要約】【課題】部品を効率よく配置し、ケースを小さくすることにより小型の光スイッチ装置を提供する。【解決手段】少なくとも一つの光入力手段および光出力手段と、光路変換素子と、駆動部と、光学部品固定部材とを備え、光入力手段および光出力手段の全てが、光路変換素子の入射面に対向して配置され、かつ光入力手段および光出力手段が、各光軸線が平行になるように配置された光スイッチ装置において、光入力手段および光出力手段の各々が、個別の支持部材に支持されて光学部品固定部材に固定されており、光入力手段および光出力手段のうち隣り合う二つの一方を、他方と比べて光路変換素子の入射面に接近した位置に配置し、一方の光入力手段または光出力手段を支持する支持部材の少なくとも一部が、光軸線の方向において、他方の光入力手段または光出力手段を支持する支持部材と光路変換素子の入射面との間に位置するように配置した。【選択図】図２
2007240851.tif 000002
【特許請求の範囲】
【請求項１】
光信号を入力するための少なくとも一つの光入力手段と、
当該光信号を出力するための少なくとも一つの光出力手段と、
前記光入力手段から出射される光の光路内に入出可能に設けられ、前記光の光路を変換する光路変換素子と、
前記光路変換素子を前記入出方向に移動させるための駆動部と、
前記光入力手段、前記光出力手段および前記駆動部を固定するための光学部品固定部材とを備え、
前記光入力手段および前記光出力手段の全てが、前記光路変換素子の入射面およびこの入射面の延長面に対向して配置され、かつ前記光入力手段および前記光出力手段が、それぞれの光軸線が平行になるように配置された光スイッチ装置において、
前記光入力手段および前記光出力手段のそれぞれが、個別の支持部材に支持されて前記光学部品固定部材に固定されており、
前記光入力手段および前記光出力手段のうち隣り合う二つの一方を、他方と比べて前記光路変換素子の入射面およびこの入射面の延長面に接近した位置に配置するとともに、
前記一方の前記光入力手段または前記光出力手段を支持する前記支持部材の少なくとも一部が、前記光軸線の方向において、前記他方の前記光入力手段または前記光出力手段を支持する前記支持部材と前記光路変換素子の入射面およびこの入射面の延長面との間に位置するように配置したことを特徴とする光スイッチ装置。
【請求項２】
前記光入力手段および前記光出力手段の全ては、それぞれの光軸線が前記光学部品固定部材の上面とほぼ平行な面内に配置された請求項１に記載の光スイッチ装置。
【請求項３】
前記光入力手段から出射される光および前記光出力手段へ入射する光の少なくともいずれかの光の光量を検出する受光素子を有し、前記検出された光を電気信号に変換する電子回路基板を備え、前記電子回路基板の一辺が前記光学部品固定部材の一辺に沿うように配置された請求項１または請求項２に記載の光スイッチ装置。
【発明の詳細な説明】
【技術分野】
【０００１】
本発明は、例えば、光アイソレータ、光アッテネータ、光ファイバセンサなどの光デバイスに用いられる光スイッチ装置における部品配置に関するものである。
【背景技術】
【０００２】
従来の光スイッチ装置は、入力および出力される光の光路を形成する光ファイバコリメータ、プリズム、ミラーなどの光学部品、光量の状態を監視するための受光素子および受光回路などが搭載された電子回路基板、光路を変換するアクチュエータなどから構成されている。これらの部品は、ほぼ同一の平面内に配置され、ケースに収納されている（例えば、特許文献１参照。）。
また、光ファイバコリメータが複数設置される光スイッチ装置では、省スペース化の観点から、全ての光ファイバコリメータを、光ファイバコリメータから出射される光の光路を変換する光路変換素子の受光面および受光面の延長面に対向して配置し、かつ各光ファイバコリメータをそれぞれの軸方向が平行になるように、互いに並列に配置した光スイッチ装置が提案されている（例えば、特許文献２参照。）。
また、並列に配置した複数の光ファイバコリメータを支持部材で支持し、光軸の位置ずれを解消した光スイッチ装置が提案されている（例えば、特許文献３参照。）。
また、出射側の光ファイバコリメータおよび入射側の光ファイバコリメータを可動の光路変換用の素子を介してマトリックス状に並列に配置し、各光ファイバコリメータの配置を段階的に可動の光路変換用の素子から遠ざけるように配置した光スイッチ装置が提案されている（例えば、特許文献４参照。）。
【０００３】
【特許文献１】特開２００３−２１７５６号公報（第４頁、第１図）
【特許文献２】特開２００５−３３８２６５号公報（第５〜１０頁、第５〜９図）
【特許文献３】特開平６−２８９０６５号公報（第３頁、第１〜３図）
【特許文献４】特開２０００−２５８７０５号公報（第２〜３頁、第１〜５図）
【発明の開示】
【発明が解決しようとする課題】
【０００４】
しかしながら、従来の特許文献１に記載の光スイッチ装置においては、光学部品、電子回路基板、アクチュエータなどの部品は、光スイッチとしてのスイッチング機能を満たすことを重視して配置されている。そのため、スペースの有効活用に欠け、部品と他の部品との間隔が広くなり、部品の配置がされていない余分なスペースができ、これらの部品を収納するケースが大きくなってしまい、光スイッチ装置を小型化することが困難であるという問題があった。
また、特許文献２に記載の光スイッチ装置においては、全ての光ファイバコリメータがそれぞれの軸方向が平行になるように、互いに並列に配置されているので、光軸の位置ずれを調整するため、各光ファイバコリメータを支持し光学部品固定板などに固定するための支持部材を用いた場合、支持部材が光ファイバコリメータと隣り合った光ファイバコリメータとの間に設置されるため、光ファイバコリメータの軸方向と直角に交わる方向、すなわち横幅が、大きくなってしまうという問題があった。
また、特許文献３に記載の光スイッチ装置においては、複数の光ファイバコリメータがそれぞれの軸方向が平行になるように、互いに並列に配置されているので、特許文献２と同様に、各光ファイバコリメータを支持し光学部品固定板などに固定するための支持部材を用いた場合、光ファイバコリメータの軸方向と直角に交わる方向、すなわち横幅が、大きくなってしまうという問題があった。
また、特許文献４に記載の光スイッチ装置においては、各光ファイバコリメータの配置を段階的に可動の光路変換用の素子から遠ざけるように配置されてはいるものの、全ての出射側の光ファイバコリメータと入射側の光ファイバコリメータとの出射から入射までの光路長を同じくして、光量のバラツキのない光スイッチを提供するものである。この構成においても、特許文献２に記載の光スイッチ装置と同様に、全ての光ファイバコリメータがそれぞれの軸方向が平行になるように、互いに並列に配置されており、光軸の位置ずれを調整するため、各光ファイバコリメータを支持し光学部品固定板などに固定するための支持部材を用いた場合、支持部材が光ファイバコリメータと隣り合った光ファイバコリメータとの間に設置されるため、光ファイバコリメータの軸方向と直角に交わる方向、すなわち横幅が、大きくなってしまうという問題があった。
【０００５】
本発明は、このような問題を解決するためになされたもので、部品を効率よく配置し、ケースを小さくして小型の光スイッチ装置を提供することを目的とする。
【課題を解決するための手段】
【０００６】
本発明に係わる光スイッチ装置においては、前記目的を達成するため、（１）光信号を入力するための少なくとも一つの光入力手段と、当該光信号を出力するための少なくとも一つの光出力手段と、前記光入力手段から出射される光の光路内に入出可能に設けられ、前記光の光路を変換する光路変換素子と、前記光路変換素子を前記入出方向に移動させるための駆動部と、前記光入力手段、前記光出力手段および前記駆動部を固定するための光学部品固定部材とを備え、前記光入力手段および前記光出力手段の全てが、前記光路変換素子の入射面およびこの入射面の延長面に対向して配置され、かつ前記光入力手段および前記光出力手段が、それぞれの光軸線が平行になるように配置された光スイッチ装置において、前記光入力手段および前記光出力手段のそれぞれが、個別の支持部材に支持されて前記光学部品固定部材に固定されており、前記光入力手段および前記光出力手段のうち隣り合う二つの一方を、他方と比べて前記光路変換素子の入射面およびこの入射面の延長面に接近した位置に配置するとともに、前記一方の前記光入力手段または前記光出力手段を支持する前記支持部材の少なくとも一部が、前記光軸線の方向において、前記他方の前記光入力手段または前記光出力手段を支持する前記支持部材と前記光路変換素子の入射面およびこの入射面の延長面との間に位置するように配置した構成を有する。
【０００７】
この構成により、本発明に係わる光スイッチ装置においては、光入力手段および光出力手段の全てが、光路変換素子の入射面およびこの入射面の延長面に対向して配置され、かつ光入力手段および光出力手段が、それぞれの光軸線が平行になるように配置された光スイッチ装置において、光入力手段および光出力手段のそれぞれが、個別の支持部材に支持されて光学部品固定部材に固定されており、それら光入力手段および光出力手段のうち隣り合う二つの一方を、他方と比べて光路変換素子の入射面およびこの入射面の延長面に接近した位置に配置するとともに、それらのうち一方の光入力手段または光出力手段を支持する支持部材の少なくとも一部が、前記光軸線の方向において、他方の光入力手段または光出力手段を支持する支持部材と光路変換素子の入射面およびこの入射面の延長面との間に位置するように配置されると、各光入力手段および光出力手段にそれぞれ支持部材を用いても、隣り合ったもの同士の間隔を小さくすることができ、光入力手段または光出力手段の光軸方向と直角に交わる方向、すなわち横幅を小さくすることができる。
【０００８】
また、本発明に係わる光スイッチ装置においては、例えば、一の光入力手段から出射された光は、その光路から分岐された光を受光する受光素子を介して正常か否かが検出され、光が正常とされたときは、所定の光路を経て光出力手段に入射され、その光出力手段から外部に光信号が出力される。光が異常とされたときは、駆動部が作動して光路内に光路変換素子が入り、一の光入力手段から出射された光が排除され、他の光入力手段から出射された光が、その光路から分岐された光を受光する受光素子を介して正常か否かが検出され、光が正常とされたときは、光路変換素子を介して、所定の光路とは異なる光路を経て光出力手段に入射し、その光出力手段から外部に光信号が出力される態様や、一の光入力手段および他の光入力手段から出射された光を同時に、各受光素子で検出し、駆動部を作動させて光路内に光路変換素子を入出させ、正常な光入力手段を選択して用いる態様などを採ることができる。
【０００９】
本発明に係わる光スイッチ装置においては、（２）前記光入力手段および前記光出力手段の全ては、それぞれの光軸線が前記光学部品固定部材の上面とほぼ平行な面内に配置された構成がよい。
この構成により、本発明に係わる光スイッチ装置においては、光入力手段および光出力手段が、一平面内に配置され、光学部品固定部材に対する垂直方向の幅、すなわち厚みを小さくすることができ、光スイッチ装置を薄くすることができる。
【００１０】
本発明に係わる光スイッチ装置においては、（３）前記光入力手段から出射される光および前記光出力手段へ入射する光の少なくともいずれかの光の光量を検出する受光素子を有し、前記検出された光を電気信号に変換する電子回路基板を備え、前記電子回路基板の一辺が前記光学部品固定部材の一辺に沿うように配置された構成がよい。
この構成により、本発明に係わる光スイッチ装置においては、電子回路基板の一辺が前記光学部品固定部材の一辺に沿うように配置されているので、スペースが有効に活用され、光スイッチ装置を小型化することができる。
【発明の効果】
【００１１】
本発明は、部品を効率よく配置し、ケースを小さくして小型の光スイッチ装置を提供することができる。
【発明を実施するための最良の形態】
【００１２】
以下、本発明に係わる光スイッチ装置における一実施の形態について、図面を用いて説明する。
【００１３】
本発明に係わる光スイッチ装置１０は、図１に示すように、ケース２１に形成された内部空間２０ａに配置されて光学部品を搭載する光学部品固定部材としてのプラットホーム３２と、光ファイバ素線３３ａ及びレンズ３３ｂによって構成されてケース２１の外部から入力された光信号を内部空間２０ａに出射する光ファイバコリメータ３３と、光ファイバ素線３４ａ及びレンズ３４ｂによって構成されてケース２１の外部から入力された光信号を内部空間２０ａに出射する光ファイバコリメータ３４と、光ファイバ素線３５ａ及びレンズ３５ｂによって構成されて内部空間２０ａから入射された光信号をケース２１の外部に出力する光ファイバコリメータ３５とを備えている。
【００１４】
図２に示すように、光ファイバコリメータ３３、３４および３５の内、例えば、光ファイバコリメータ３３は支持部材４１ａおよび４１ｂに支持されて、プラットホーム３２に固定されており、隣り合う光ファイバコリメータ３４を、光ファイバコリメータ３３と比べて光路変換素子３８の入射面に接近した位置に配置するとともに、光ファイバコリメータ３４を支持する支持部材４２ａおよび４２ｂの少なくとも一部が、光ファイバコリメータ３３の軸線方向において、光ファイバコリメータ３３支持する支持部材４１ａおよび４１ｂと光路変換素子３８の入射面との間に位置するように配置されている。同様に、光ファイバコリメータ３５は、光ファイバコリメータ３４と光路変換素子３８の入射面の延長面との間に配置されている。
【００１５】
また、図３に示すように、光ファイバコリメータ３４は、光ファイバコリメータ３３と光路変換素子３８との間に配置され、かつ光ファイバコリメータ３５と光路変換素子３８との間に配置することもできる。
【００１６】
図４に示すように、光ファイバコリメータ３４のレンズ３４ｂは、長手方向に垂直に切断した断面が三角形の三角柱からなる支持部材４２ａの傾斜面を、レンズ３４ｂの一側面と線状に当接させ、例えば、紫外線硬化型の接着剤によりレンズ３４ｂと支持部材４２ａとを接着し、同様に支持部材４２ｂの傾斜面を一側面と反対側の他の側面に当接させて接着することにより、支持部材４２ａと４２ｂとにより支持されている。この支持部材４２ａと４２ｂの底面はプラットホーム３２に固定されている。この二つの支持部材４２ａと４２ｂの位置を微調整することにより、レンズ３４ｂの光軸の芯ぶれが解消され、正確な位置でプラットホーム３２に固定される。
【００１７】
図２および図３に示すように、光ファイバコリメータ３３のレンズ３３ｂも、光ファイバコリメータ３４のレンズ３４ｂと同様に支持部材４１ａおよび４１ｂとにより支持されプラットホーム３２に固定され、光ファイバコリメータ３５のレンズ３５ｂも、光ファイバコリメータ３４のレンズ３４ｂと同様に支持部材４３ａおよび４３ｂとにより支持されプラットホーム３２に固定されている。
【００１８】
光ファイバコリメータ３３の軸方向と直交する方向における光ファイバコリメータ３４との間隔は、光ファイバコリメータ３３から出射される光の光路に支持部材４２ａが侵入しないよう配置されていれば、小さいほど好ましい。
光ファイバコリメータ３４の軸方向と直交する方向における光ファイバコリメータ３５との間隔も、同様に光ファイバコリメータ３４から出射される光の光路に支持部材４３ａが侵入しないよう配置されていれば、小さいほど好ましい。
【００１９】
また、光スイッチ装置１０は、光ファイバコリメータ３３、３４から出射された光の一部の進行方向を変更する分岐用プリズム３６、３７と、プラットホーム３２と直交する矢印３２ａで示す方向における自身の位置の変化によって光ファイバコリメータ３３から出射された光の経路を切り換える光路変換素子としての平行プリズム３８と、矢印３２ａで示す方向に平行プリズム３８を移動させる電磁式の駆動部としてのアクチュエータ３９と、光ファイバコリメータ３３、３４から出射された光の進行方向を変更して光ファイバコリメータ３５に入力する直角プリズム４０とを備えている。
【００２０】
また、光スイッチ装置１０は、分岐用プリズム３６、３７によって進行方向が変更された分岐光を検出する受光素子４７、４８と、プラットホーム３２に接着剤によって固定されて受光素子４７、４８を固定したＰＤホルダ４９と、受光素子４７、４８の端子４７ａ、４８ａが電気的に接続された電極５０ａ、５０ｂ及び受光素子４７、４８の測定結果に基づく光を電気信号に変換する変換回路を有し、この電気信号を出力する４つの電極５０ｃを有した電子回路基板５０と、電子回路基板５０の電極５０ｃにハンダ付けされた４本のケーブル５１と、８つの外部電極３０のうちの２つの外部電極３０ａにアクチュエータ３９のケーブル３９ａを電気的に接続し４つの外部電極３０ｂに４本のケーブル５１を電気的に接続する電極用基板５２とを備えている。
【００２１】
また、図５に示すように、光スイッチ装置１０は、ケース２１の内壁に接着剤によって固定されてプラットホーム３２の移動を規制するプラットホームストッパ５３と、ケース２１及びプラットホームストッパ５３とプラットホーム３２との間に配置された緩衝材５４と、ケース２１と電子回路基板５０との間に配置された緩衝材５５とを備えている。なお、ここでは図示しないが、ケース２１の上部開口を覆う蓋体を別途設けることができる。この場合、内部空間２０ａがその蓋体とケース２１によって閉ざされた空間となり、光スイッチ装置としてパッケージ化したものとなる。
【００２２】
図１に示すように、プラットホーム３２は、Ｌ字型であるので、アクチュエータ３９をスペース面で効率的に配置することができる。また、プラットホーム３２には、光ファイバコリメータ３３、３４、３５と、分岐用プリズム３６、３７と、アクチュエータ３９と、直角プリズム４０とが固定されている。
【００２３】
分岐用プリズム３６は、図６に示すように、光ファイバコリメータ３３から出射された光線の途中まで挿入することによって、挿入量に応じた光量の光を分岐することができる。また、分岐用プリズム３６は、反射面３６ａに光学膜を付するときの光学膜の反射率を変更することによっても、分岐光の光量を可変することができる。光学膜としては、誘電体膜や金属膜などを施すことができる。また、分岐用プリズム３６は、反射面３６ａを全反射条件としたり反射面３６ａに全反射膜を付したりすれば、低波長依存性を有し、かつ低偏光依存性を有する分岐光を得ることができる。また、分岐用プリズム３６は、反射面３６ａ、入射面３６ｂ、出射面３６ｃの何れかに波長選択フィルタ膜を付すことによって、設定した波長の光のみを分岐することもできる。また、分岐用プリズム３６は、光ファイバコリメータ３３から出射された光線に対して入射面３６ｂが直交しないように入射面３６ｂを傾けることによって、入射面３６ｂにおける反射光が光ファイバコリメータ３３に戻ることを防止することができる。なお、分岐用プリズム３６について説明したが、分岐用プリズム３７（図１参照。）についても同様である。
【００２４】
図７に示すように、アクチュエータ３９は、プラットホーム３２の穴３２ｂに挿入されてプラットホーム３２に固定されているので、穴３２ｂに挿入されている分、プラットホーム３２のうち光ファイバコリメータ３３、３４、３５が固定されている面と同一の面に固定される場合と比較して、矢印３２ａで示す方向における光スイッチ装置１０（図１参照。）の厚みを薄くすることができる。
また、アクチュエータ３９は、接着剤によってヨーク３９ｂがプラットホーム３２に直接固定されているので、プラットホーム３２に固定されるための専用の部品を備える場合と比較して、部品点数を減少させることができる。
【００２５】
また、ここでは図示しないが、光スイッチ装置１０は、光ファイバコリメータ３３から出射された光の光路上に平行プリズム３８が存在しないときに光ファイバコリメータ３３から出射された光がケース２１で反射して光ファイバコリメータ３３への戻り光となることを防止するため、平行プリズム３８とケース２１の内壁との間にリターンロス対策用チップを設けることができる。リターンロス対策用チップは、光ファイバコリメータ３３から出射された光線に対してある程度の角度をもつ入射面を備える。この入射面に反射吸収材料を塗布すれば、光ファイバコリメータ３３への戻り光をより効果的に抑えることができるとともに、光ファイバコリメータ３３から出力された光が迷光となることをより効果的に抑えることができる。また、この反射面に塗布された反射吸収材料の表面にＮＤ（Ｎｅｕｔｒａｌ  Ｄｅｎｓｉｔｙ）フィルタを貼り付けることによって、ハイパワー光によって反射吸収材料が焼けることを防止することができる。
【００２６】
図８に示すように、受光素子４７は、３本の端子４７ａを有しており、３本の端子４７ａによって電子回路基板５０を挟み込んで、電子回路基板５０の両面に設けられた電極５０ａにハンダ５７によって端子４７ａが接続されている。この構造によれば、光スイッチ装置１０は、電子回路基板５０のハンダ用スルーホールに受光素子４７の端子４７ａが差し込まれてハンダ付けされる構造と比較して、薄型化が可能であるとともに、機械的強度も向上することができる。受光素子４７について説明したが、受光素子４８（図１参照。）についても同様である。
【００２７】
図１に示すように、電子回路基板５０は、ＰＤホルダ４９の溝４９ａに挿入されてＰＤホルダ４９に接着剤によって固定されることによって、プラットホーム３２に対して固定されている。上述したＬ字型のプラットホーム３２は、その角部の外角側がケース２１の内壁のコーナー部分の一つに沿うように配置している。電子回路基板５０は、そのＬ字型のプラットホーム３２の角部の内角側で、プラットホーム３２とケース２１とに囲まれた空間内に配置している。
【００２８】
なお、光スイッチ装置１０は、光ファイバコリメータ３３、３４に入力される光の光量が変更されることによって、分岐用プリズム３６、３７によって分岐される光の光量が変更されたとしても、分岐用プリズム３６、３７と、受光素子４７、４８との間の光路中に適切なＮＤフィルタが挿入されることによって、外部電極３０ｂからケース２１の外部の図示しない制御回路に出力する信号を適切に調整することができる。このＮＤフィルタに設定波長の光のみを通過させる機能を持たせれば、制御回路は、設定波長の光のみをモニタすることができる。設定波長の光のみを通過させる機能は、ＮＤフィルタの材料の波長依存性を利用したり、ＮＤフィルタに波長選択フィルタ膜を付したりするなどの方法によって実現することができる。
【００２９】
電極用基板５２は、アクチュエータ３９の２本のケーブル３９ａがハンダ付けされる２つの電極５２ａと、４本のケーブル５１がハンダ付けされる４つの電極５２ｂとを有している。
【００３０】
次に、光スイッチ装置１０の動作について説明する。
光スイッチ装置１０は、図１に示すように、受光素子４７、４８によって検出した光の量を電子回路基板５０、ケーブル５１、電極用基板５２、外部電極３０ｂを介して電気信号として出力する。光スイッチ装置１０から出力された電気信号は、電気的に接続された図示していない制御装置に入力される。制御装置は、光スイッチ装置１０からの電気信号が入力されると、光ファイバコリメータ３３によって構成される回線と、光ファイバコリメータ３４によって構成される回線とに障害が生じているか否かを光スイッチ装置１０から入力された電気信号に基づいて判断し、障害が生じていない回線から入力された光信号を光ファイバコリメータ３５によって構成される回線に接続させる電気信号を出力する。制御装置から出力された電気信号は、外部電極３０ａ、電極用基板５２を介して光スイッチ装置１０のアクチュエータ３９に入力される。アクチュエータ３９は、制御装置からの電気信号が入力されると、入力された電気信号に応じて光路を切り換える。したがって、光スイッチ装置１０は、光ファイバコリメータ３３によって構成される回線と、光ファイバコリメータ３４によって構成される回線とのうち障害が生じていない回線から入力された光信号を、光ファイバコリメータ３５によって構成される回線に接続する。
【００３１】
以上説明したように、本発明に係わる光スイッチ装置においては、光信号を入力または出力するための光ファイバコリメータ３３、３４および３５と、光ファイバコリメータ３３、３４から出射される光の光路内に入出可能に設けられ、光の光路を変換する光路変換素子３８と、光路変換素子３８を入出方向に移動させるためのアクチュエータ３９と、光ファイバコリメータ３３、３４および３５とアクチュエータ３９を固定するためのプラットホーム３２とを備え、光ファイバコリメータ３３、３４および３５が、光路変換素子３８の入射面およびこの入射面の延長面に対向して配置され、かつ光ファイバコリメータ３３、３４および３５が、それぞれの光軸線が平行になるように配置され、光ファイバコリメータ３３、３４および３５の各々が支持部材４１ａおよび４１ｂ、４２ａおよび４２ｂ、４３ａおよび４３ｂに支持されてプラットホーム３２に固定されており、例えば、隣り合う二つの光ファイバコリメータ３３と３４のうち、光ファイバコリメータ３４を３３と比べて光路変換素子３８の入射面に接近した位置に配置するとともに、光ファイバコリメータ３４を支持する支持部材４２ａおよび４２ｂの少なくとも一部が、光ファイバコリメータ３４の光軸線の方向において、光ファイバコリメータ３３を支持する支持部材４１ａおよび４１ｂと光路変換素子３８の受光面との間に位置するように配置される。
【００３２】
この構成により、本発明に係わる光スイッチ装置においては、隣り合った光ファイバコリメータ同士の間隔を小さくすることができ、光ファイバコリメータの軸方向と直角に交わる方向、すなわち横幅を小さくすることができるので、部品が効率よく配置され、ケースを小さくして、光スイッチ装置を小型化することができる。
【図面の簡単な説明】
【００３３】
【図１】本発明の実施の形態に係わる光スイッチ装置の内部の斜視図である。
【図２】光スイッチ装置におけるプラットホーム上に固定された光ファイバコリメータの配置の一実施の形態を示す部分平面図である。
【図３】光スイッチ装置におけるプラットホーム上に固定された光ファイバコリメータの配置の他の実施の形態を示す部分平面図である。
【図４】光ファイバコリメータのレンズとその支持部材を示す斜視図である。
【図５】（ａ）は図１に示す光スイッチ装置の内部の上面図である。（ｂ）は図５（ａ）のＡ−Ａ矢視断面図である。（ｃ）は図５（ａ）のＢ−Ｂ矢視断面図である。
【図６】図１に示す光スイッチ装置の光ファイバコリメータ及び分岐用プリズムの上面図である。
【図７】（ａ）は図１に示す光スイッチ装置のプラットホーム及びアクチュエータの斜視図であってアクチュエータがプラットホームに固定される前の図である。（ｂ）は図１に示す光スイッチ装置のプラットホーム及びアクチュエータの斜視図であってアクチュエータがプラットホームに固定された後の図である。
【図８】図１に示す光スイッチ装置の受光素子の近傍の側面図である。
【符号の説明】
【００３４】
１０  光スイッチ装置
２１  ケース
３０、３０ａ、３０ｂ  外部電極
３２  プラットホーム（光学部品固定部材）
３３、３４、３５  光ファイバコリメータ（光入力手段、光出力手段）
３６、３７  分岐用プリズム
３８  平行プリズム（光路変換素子）
３９  アクチュエータ（駆動部）
４０  直角プリズム
４１ａ、４１ｂ  支持部材
４２ａ、４２ｂ  支持部材
４３ａ、４３ｂ  支持部材
４７、４８  受光素子
５０  電子回路基板
５０ａ、５０ｂ、５０ｃ  電極
５１  ケーブル
５２  電極用基板
５２ａ、５２ｂ  電極
５３  プラットホームストッパ
５４、５５  緩衝材
【図１】
2007240851.tif 000003
【図２】
2007240851.tif 000004
【図３】
2007240851.tif 000005
【図４】
2007240851.tif 000006
【図５】
2007240851.tif 000007
【図６】
2007240851.tif 000008
【図７】
2007240851.tif 000009
【図８】
2007240851.tif 000010